(57)【特許請求の範囲】
【請求項１】
各農道に沿って給水パイプと排水パイプとが埋設され、給水パイプから供給される用水を耕作区に供給し、耕作区の余剰の用水を排水パイプに排出する水田の水位調節装置であって、水田の耕作区に連通する耕作区給排水口を備えた有底筒状の給排水枡に、前記給水パイプに接続する用水流入部と、前記排水パイプに接続する用水排出部とを設け、前記用水流入部には、用水の供給を調節する給水弁を設けるとともに、前記用水排出部には、給排水枡の底部近傍で開口可能な排水弁と、給排水枡の上部に開口する高さ調節可能な水位調節堰とを設けたことを特徴とする水田の水位調節装置。
【請求項２】
前記耕作区給排水口は、高さ調節可能な越流ゲートを介して前記耕作区に連通していることを特徴とする請求項１記載の水田の水位調節装置。
【請求項３】
前記水位調節堰は、前記用水排出部に接続されて上向きに開口したパイプの上端部に上下動可能に嵌装された筒体により形成されていることを特徴とする請求項１記載の水田の水位調節装置。
【請求項４】
前記用水流入部は、前記給排水枡の上部に開口する高さ調節可能な逆流防止堰を備えていることを特徴とする請求項１記載の水田の水位調節装置。
【請求項５】
前記逆流防止堰は、前記用水流入部に接続されて上向きに開口したパイプの上端部に上下動可能に嵌装された筒体により形成されていることを特徴とする請求項４記載の水田の水位調節装置。
【請求項６】
側縁に農道が設けられるとともに畦畔によって複数の耕作区に区分された水田の用水管理システムであって、各農道に沿って給水パイプと排水パイプとが埋設されるとともに、各耕作区には、前記給水パイプと排水パイプとに接続される水位調節装置が設置され、該水位調節装置は、有底筒状の給排水枡に、前記耕作区に連通する耕作区給排水口と、前記給水パイプに接続する用水流入部と、前記排水パイプに接続する用水排出部とを備え、前記用水流入部は、用水の供給を調節する給水弁を備えており、前記用水排出部は、給排水枡の底部近傍で開口可能な排水弁と給排水枡の上部に開口する高さ調節可能な水位調節堰とを備えており、前記給水弁を開くことにより前記給水パイプから用水流入部を通って給排水枡に流入した用水が耕作区給排水口から耕作区へ給水され、該耕作区に供給された余剰の用水や雨水が耕作区給排水口から給排水枡に流入し、田面水位に高さ調節された水位調節堰を越えて用水排出部から排水パイプに排出され、前記排水弁を開くことにより、給排水枡内の用水及び給排水枡内に流入した土砂が排出されるように構成したことを特徴とする水田の用水管理システム。
【請求項７】
前記水田が傾斜地に階段状に設けられた水田であり、上方の水田に設置された前記水位調節装置の用水排出部から排水パイプに排出された用水が、給排水路を介して下方の水田の給水パイプに供給されることを特徴とする請求項６記載の水田の用水管理システム。
【発明の詳細な説明】
【０００１】
【発明の属する技術分野】
本発明は、水田の水位調節装置及び用水管理システムに関し、詳しくは、水田における各耕作区の田面水位を所望の高さに容易に調節することができる水位調節装置に関するとともに、水田に対する灌漑用水の供給及び排出を自動的に管理できる水田の用水管理システムであって、更に詳しくは、必要最小限の用水を各耕作区に供給することによって、水田全体にわたって満遍なく用水を供給できるとともに、各耕作区の水位を一定に維持することができる水田の用水管理システムに関する。
【０００２】
【従来の技術】
図１４は、従来の水田構造を示す概略平面図であって、河川１を流れる水は、水路２から上流側の幹線給水路３に導かれて水田４に供給されるようになっている。水田４は、畦畔４１によって複数の耕作区４２に区分されており、長手方向に延びる農道４０の側縁には、それぞれの耕作区４２に沿って開放型の給水路３１が設けられている。この給水路３１の上流側は、前記幹線給水路３と接続しており、各耕作区４２に面した給水路３１の側壁には、給水口３２が設けられている。図１５に斜視図で示すように、給水路３１を流れる用水は、各給水口３２から各耕作区４２に供給されるようになっている。
【０００３】
また、前記給水路３１の反対側に位置する水田４，４の間には、開放型の排水路３３が設けられている。各耕作区４２に面した排水路３３の排水口には、水位設定器３４が設けられており、この水位設定器３４の高さを調整することにより、それぞれの耕作区４２の田面水位を一定の高さに維持できるように形成されている。排水路３３の下流側は、幹線排水路３５と接続しており、この排水路３５に放出された余剰の用水や雨水は、水路３６から河川に還流されるようになっている。
【０００４】
【発明が解決しようとする課題】
この水田の場合には、給水路３１を流れる用水は、給水路３１の上流側に位置する給水口３２から各耕作区４２に流入する。そして、耕作区４２に供給された用水は、水位設定器３４によって一定の水位に維持されるとともに、余剰の用水が排水路３３に排出される。このようにして、上流側から下流側の耕作区４２に向かって用水が順次供給されていくため、下流側の耕作区４２ほど用水の供給が不足がちとなる。特に、日照りが続く旱魃期には、下流側の耕作区４２にほとんど用水が供給されなくなり、稲の成育不良によって収穫量が減少するということがあった。
【０００５】
また、各水路が開放型で形成されている従来の水田では、給水路３１や排水路３３の占有幅だけ耕作区４２や農道４０のスペースが狭くなるため、農地を有効利用できないという問題もあった。さらには、上方が開放した各水路には、土砂等が落下して堆積し易いため、土砂等の排出作業を頻繁に行わなければならず、水路管理が煩わしいという問題もあった。
【０００６】
さらに、傾斜地に階段状に水田が設けられたいわゆる棚田では、上位の水田と下位の水田とを区分する畦畔に両者の連絡通路となる溝を設け、この溝を介して上位の水田から下位の水田に用水を順次供給する田越し灌漑を採用しているが、この田越し灌漑の場合には、それぞれの畦畔に連絡通路となる畦畔を形成する作業が厄介であり、また、この溝の周辺部では稲の成育が悪くなることがあった。すなわち、連絡通路となる溝を低温用水が絶え間なく流れると、この溝の周辺部では、低温用水の影響を受けて稲の成育が悪くなるという問題があった。
【０００７】
一方、農村の都市化に伴って農家の兼業化が進行するとともに、就業時間の短縮及び制限から農作業等の自動化及び省力化の要請が強まっており、水田の給水管理や施肥管理等の省力化が望まれている。
【０００８】
そこで本発明は、棚田を含む水田全体にわたって安定した状態で用水を供給でき、田面水位を自動的に一定に維持できるとともに、施工性に優れ、しかも安価に提供することができる水田の水位調節装置及び用水管理システムを提供することを目的としている。
【０００９】
【課題を解決するための手段】
上記目的を達成するため、本発明の水田の水位調節装置は、各農道に沿って給水パイプと排水パイプとが埋設され、給水パイプから供給される用水を耕作区に供給し、耕作区の余剰の用水を排水パイプに排出する水田の水位調節装置であって、水田の耕作区に連通する耕作区給排水口を備えた有底筒状の給排水枡に、前記給水パイプに接続する用水流入部と、前記排水パイプに接続する用水排出部とを設け、前記用水流入部には、用水の供給を調節する給水弁を設けるとともに、前記用水排出部には、給排水枡の底部近傍で開口可能な排水弁と、給排水枡の上部に開口する高さ調節可能な水位調節堰とを設けたことを特徴としている。
【００１０】
さらに、本発明の水位調節装置は、前記耕作区給排水口が高さ調節可能な越流ゲートを介して前記耕作区に連通していること、前記用水流入部が前記給排水枡の上部に開口する高さ調節可能な逆流防止堰を備えていること、前記水位調節堰及び逆流防止堰が前記用水排出部又は前記用水流入部に接続されて上向きに開口したパイプの上端部に上下動可能に嵌装された筒体により形成されていることを特徴としている。
【００１１】
また、本発明の水田の用水管理システムは、側縁に農道が設けられるとともに畦畔によって複数の耕作区に区分された水田の用水管理システムであって、各農道に沿って給水パイプと排水パイプとが埋設されるとともに、各耕作区には、前記給水パイプと排水パイプとに接続される水位調節装置が設置され、該水位調節装置は、有底筒状の給排水枡に、前記耕作区に連通する耕作区給排水口と、前記給水パイプに接続する用水流入部と、前記排水パイプに接続する用水排出部とを備え、前記用水流入部は、用水の供給を調節する給水弁を備えており、前記用水排出部は、給排水枡の底部近傍で開口可能な排水弁と給排水枡の上部に開口する高さ調節可能な水位調節堰とを備えており、前記給水弁を開くことにより前記給水パイプから用水流入部を通って給排水枡に流入した用水が耕作区給排水口から耕作区へ給水され、該耕作区に供給された余剰の用水や雨水が耕作区給排水口から給排水枡に流入し、田面水位に高さ調節された水位調節堰を越えて用水排出部から排水パイプに排出され、前記排水弁を開くことにより、給排水枡内の用水及び給排水枡内に流入した土砂が排出されるように構成したことを特徴とし、さらに、前記水田が傾斜地に階段状に設けられた水田であり、上方の水田に設置された前記水位調節装置の用水排出部から排水パイプに排出された用水が給排水路を介して下方の水田の給水パイプに供給されることを特徴としている。
【００１２】
【発明の実施の形態】
図１は本発明の水位調節装置を使用した用水管理システムの一例を示す概略平面図、図２は図１のII−II線近傍の概略断面図、図３は図１の III−III 線近傍の概略断面図である。
【００１３】
本形態例に示す水田４は、図２及び図３に示すように、図１における下側及び右側に向けて下り勾配を有するもので、図１の左上方向が最高部、右下方向が最低部となっている。水田４の内部は、短手方向に延びる畦畔４１によって複数の耕作区４２に区分されている。各耕作区４２は、例えば、長辺が１００〜２００ｍ、短辺が３０〜１００ｍ程度の長方形状に区分され、各耕作区４２は、隣接する耕作区４２とは階段状になっているが、各耕作区４２内は、全体的に見れば緩やかに傾斜しているにしても、略平坦に整地されている。
【００１４】
また、水田４の側縁には、その長手方向に沿って農道４３が設けられている。この農道４３の上面は、その中央部が従来の農道と略同じ幅寸法の平坦面に形成されており、この平坦面の片側又は両側に、水田４側に向かって下り勾配となった傾斜面が形成されている。この傾斜面は、従来農道に沿って設けられていた用水路や排水路を撤去して埋め戻しを行った部分である。このため、農道４３は、従来の農道よりもかなり広幅になっており、トラクター等を旋回させて方向転換したり、農道４３の片方を駐車スペースとして利用できるようになっている。
【００１５】
各農道４３には、その傾斜面の下方に、用水を通すための通水パイプである給水パイプ５１と排水パイプ５２とが埋設されている。前記給水パイプ５１及び排水パイプ５２は、上流側が弁５１ａ，５２ａを介して上段の給排水路（但し、最上段では支線用水路、最下段では排水路となる。）３７に接続しており、下流側が弁５１ｂ，５２ｂを介して下段の給排水路３７に接続している。この給排水路３７には、各農道４３の位置に対応して用水枡３８が設けられており、給水パイプ５１及び排水パイプ５２の両端は、この用水枡３８部分に接続されている。さらに、棚田最上段の耕作区４２には、必要に応じて用水を補給するための用水補給バルブ５３を設けた用水補給パイプ５４を設けておくことができる。なお、図示は省略するが、最上段の支線用水路には、河川等から水を引き込むための水路が接続しており、最下段の排水路には、放出された用水や雨水を河川に還流させるための水路が接続している。
【００１６】
また、各耕作区４２の側縁には、各耕作区４２に耕作区給排水口を介して連通した水位調節装置６が設置されており、前記給水パイプ５１及び排水パイプ５２にそれぞれ接続されている。
【００１７】
図４は、一耕作区４２の用水管理に用いられる水位調節装置６の一例を示す配管概略図である。この水位調節装置６は、有底筒状の給排水枡６０に、耕作区４２に連通する耕作区給排水口６１と、給水パイプ５１に接続する用水流入部６２と、排水パイプ５２に接続する用水排出部６３とを備えている。用水流入部６２には、給水弁６４と給排水枡６０の上部に開口する高さ調節可能な逆流防止堰６５とが設けられている。また、用水排出部６３には、給排水枡６０の底部近傍で開口可能な排水弁６６と給排水枡６０の上部に開口する高さ調節可能な水位調節堰６７とが設けられている。
【００１８】
図５乃至図７は、水位調節装置６の具体的な形状例を示すもので、図５は平面図、図６は用水流入部６２及び耕作区給排水口６１部分を示す縦断面図、図７は用水排出部６３部分を示す縦断面図である。
【００１９】
この水位調節装置６は、有底円筒形の給排水枡６０内に各種給排水手段を設けたものである。給排水手段としては、前述のように、耕作区４２に連通する前記耕作区給排水口６１と、給水パイプ５１に接続する用水流入部６２と、排水パイプ５２に接続する用水排出部６３とを備えており、用水流入部６２には、給水弁６４と給排水枡６０の上部に開口する高さ調節可能な逆流防止堰６５とが設けられ、用水排出部６３には、給排水枡６０の底部近傍で開口可能な排水弁６６と給排水枡６０の上部に開口する高さ調節可能な水位調節堰６７とが設けられている。また、前記耕作区給排水口６１には、高さ調節可能で、かつ、着脱可能な越流ゲート６８が設けられている。
【００２０】
前記給水弁６４は、用水流入部６２のパイプ６２Ｐに接続した垂直方向のパイプ６４Ｐの内部に上下方向に摺動可能で、かつ、パイプ６２Ｐの開口を閉塞可能な筒体６４Ｔを挿入したものである。この筒体６４Ｔには、適宜なシールパッキンが装着されるとともに、給排水枡６０の上方に延びる操作ロッド６４Ｈが設けられており、図６に示すように、操作ロッド６４Ｈを引上げて筒体６４Ｔを上方に移動させることにより開弁状態となり、操作ロッド６４Ｈを押し下げて筒体６４Ｔをパイプ６２Ｐの開口部に位置させることにより閉弁状態となる。
【００２１】
また、逆流防止堰６５は、前記パイプ６４Ｐの上端の上向きの開口に、水密性と摺動抵抗を得るためのゴム製のシールパッキンを介して筒体６５Ｔを上下動可能に嵌装したもので、この筒体６５Ｔにも、前記同様の操作ロッド６５Ｈが設けられている。さらに、水位調節堰６７は、用水排出部６３の水平方向のパイプ６３Ｐから垂直方向に立上がったパイプ６７Ｐの上端の上向きの開口に、前記同様にゴム製のシールパッキンを介して上下動可能に嵌装された筒体６７Ｔにより形成されており、この筒体６７Ｔにも、前記同様の操作ロッド６７Ｈが設けられている。なお、この筒体６７Ｔの上縁をラッパ状に拡開しておくことにより、用水の排出を効率よく行うことができる。
【００２２】
前記排水弁６６には、図８に斜視図で示すようなスライド弁７０を使用している。このスライド弁７０は、前記パイプ６３Ｐに対応した貫通口７１を有する２枚の板状部材７２，７３の間に、板状の弁体７４を上下動可能に設け、この弁体７４に開閉操作用の弁棒７５を取付けたものであって、この弁棒７５には、前記同様の操作ロッド６６Ｈが設けられている。
【００２３】
上記各操作ロッド６４Ｈ，６５Ｈ，６６Ｈ，６７Ｈには、弁の開閉状態等を表示するための目盛りを設けておくことができる。また、給排水枡６０の上部には蓋体を装着しておくこともできる。
【００２４】
前記耕作区給排水口６１に設けられた越流ゲート６８は、耕作区４２側が開口した出口枡８０の耕作区側開口に設けられた上下２枚の堰板８１，８２により形成されている。この堰板８１，８２は、両側に設けられた２条の凹溝８３内に上下位置調節可能かつ着脱可能に挿入されており、堰板８１，８２の上下位置を調節したり、取り外したりすることにより、給排水枡６０内への土砂の流入を防止し、あるいは、耕作区４２内の排水を速やかに行うようにするものである。
【００２５】
以上のような構成からなる水位調節装置６は、各耕作区４２に面した農道４３の傾斜面に垂直状態で埋設され、田面水位は、各耕作区４２毎に設定される。すなわち、各耕作区４２に設置した水位調節装置６における水位調節堰６７の高さ位置を、筒体６７Ｔに設けた操作ロッド６７Ｈを上下に移動させることにより、各耕作区４２毎に設定する。
【００２６】
通常、各耕作区４２に設置されている水位調節装置６において、給水パイプ５１に接続した用水流入部６２の逆流防止堰６５は、筒体６５Ｔの上縁を田面水位Ｌよりも若干高い位置に設定し、排水パイプ５２に接続した用水排出部６３の水位調節堰６７は、筒体６７Ｔの上縁を田面水位Ｌに対応した高さに設定する。また、給水弁６４は適当に開いた状態、排水弁６６は全閉状態とする。さらに、越流ゲート６８の高さは、田面水位Ｌよりも低く、地表面よりも高い位置に設定する。
【００２７】
上述の設定状態において、前記給水パイプ５１からの用水は、所定量開いている給水弁６４を経て用水流入部６２からパイプ６４Ｐ内を上昇し、逆流防止堰６５の筒体６５Ｔの上縁を越えて給排水枡６０内に流入した後、耕作区給排水口６１から越流ゲート６８を越えて耕作区４２へ給水される。この耕作区４２への用水の供給は、田面水位が上昇して水位調節堰６７の筒体６７Ｔの上縁を超える高さに達するまで継続して行われる。
【００２８】
一方、耕作区４２に供給された余剰の用水や雨水は、耕作区給排水口６１を逆流して給排水枡６０内に流入し、田面水位Ｌに対応した高さに調節されている水位調節堰６７の筒体６７Ｔの上縁を越えてパイプ６７Ｐ内を流下し、用水排出部６３から排水パイプ５２に排出される。
【００２９】
このとき、逆流防止堰６５の筒体６５Ｔの上縁が田面水位Ｌよりも若干高い位置に設定されているので、給水パイプ５１への用水の供給を止めても用水が給水パイプ５１側に逆流することはない。また、越流ゲート６８が地表面よりも高い位置に設定されているので、耕作区４２内の土砂が給排水枡６０内に流入することを防止できる。
【００３０】
したがって、各耕作区４２内の田面水位は、用水排出部６３の水位調節堰６７の筒体６７Ｔを所定高さに調節することにより、自動的に調節することができる。そして、用水流入部６２の給水弁６４の開度を適当に調節することにより、耕作区４２への流入用水量を調節でき、必要最小限の用水量で田面水位を一定に維持することが可能となる。
【００３１】
このような用水管理を行うと、各耕作区４２への用水の供給量を少なくできるため、上流側の耕作区４２から下流側の耕作区４２にわたって満遍なく用水を供給できるようになり、下流側の耕作区４２で水不足が発生することもなくなる。また、耕作区４２の田面水位が一定に維持されている状態では、耕作区４２内の用水は外部にほとんど排出されないため、耕作区４２に施用された農薬や肥料等が用水や雨水と共に外部に流出することも少なく、環境破壊の問題を招来するおそれもない。
【００３２】
また、耕作区４２から用水を排出する場合には、用水流入部６２の給水弁６４を閉じ状態とし、用水排出部６３の水位調節堰６７の筒体６７Ｔを押し下げるか、排水弁６６を開く。これにより、耕作区４２に貯留されている用水を用水排出部６３から排水パイプ５２に排出することができる。
【００３３】
また、耕作区４２等から耕作区給排水口６１を通って給排水枡６０内に侵入した土砂等は、給排水枡６０の底部の排水弁６６を開くことにより、排水弁６６から用水と共に排水パイプ５２に排出することができる。
【００３４】
一方、一度に大量の用水を必要とする水田の代掻き時には、給水弁６４を全開状態にして逆流防止堰６５の筒体６５Ｔを押し下げるとともに、用水排出部６３の水位調節堰６５の筒体６５Ｔを引上げる。これにより、給水パイプ５１から送水された用水は、用水流入部６２から耕作区４２内に流入し、用水排出部６３から排出されることなく、その全量が耕作区４２内に供給されて貯留される状態になり、速やかに所定の水位に達する。この操作を各耕作区４２について繰り返すことにより、上流側の耕作区４２から下流側の耕作区４２にわたって順次用水を供給することができる。
【００３５】
さらに、減反等でいくつかの耕作区４２への給水が不要な場合は、その耕作区４２に対応した水位調節装置６の給水弁６４を閉じ、排水弁６６を全開状態にするとともに、越流ゲート６８の堰板８１，８２を取り外す。これにより、耕作区４２内の雨水等は、耕作区４２から水位調節装置６を通って排水パイプ５２に排出される。
【００３６】
このように構成した水位調節装置６によれば、給水パイプ５１を流れる用水を少量にすることができるため、小径のパイプを用いることができる。また、この水位調節装置６は、合成樹脂製の筒材等を適宜に組合わせて製作することができ、給排水枡６０内に一体に組込まれているので、耕作区給排水口６１，用水流入部６２及び用水排出部６３を直接あるいは適当な継手を介して給水パイプ５１や排水パイプ５２及び排水弁６６にそれぞれ接続するだけでよいことから、工事費等を大幅に削減することができる。
【００３７】
さらに、前記越流ゲート６８を上下二段のスライド式の堰板８１，８２とすることによって、代掻き時に土砂等が給排水枡６０内に侵入することを防止でき、また、中干し時や転作時の水抜きが効果的に行える。すなわち、上方の堰板８１を引き上げておけば、代掻き時に土砂等が給排水枡６０内に侵入することを未然に防止できる。また、水田を中干しするときには、上方の堰板８１を押し下げ、付近の地面を図６に符号Ｐ１で示すように掘り下げておくことによって水抜きができる。さらに、減反や転作時には、上下の堰板８１，８２を引き上げるか、取り外すとともに、付近の地面を図６に符号Ｐ２で示すように３０ｃｍ程度掘り下げておくことによって、水田の用水をスムーズに落とすことができるという利点がある。
【００３８】
そして、傾斜地上方に位置する水田４の各耕作区４２に設置した水位調節装置６の用水排出部６３から排水パイプ５２に排出された用水は、下方に位置する水田４との間に設けられている給排水路３７内に流下し、給排水路３７の勾配によって図１左側から右側に向かって流れる。この給排水路３７には、前述のように、各農道４３の位置に対応して給水パイプ５１及び排水パイプ５２を接続するための用水枡３８が設けられている。
【００３９】
図９及び図１０は、上記用水枡３８の形状例を示すもので、図９は平面図、図１０は縦断面図である。用水枡３８内には、給排水路３７を流れる用水の所定量を溜めることができるように堰３８ａが設けられており、給水パイプ５１及び排水パイプ５２は、この堰３８ａの上流側に接続されている。このように、給排水路３７に堰３８ａを有する用水枡３８を設けておくことにより、排水パイプ５２から流下してきた用水の所定量を給水パイプ５１に確実に供給することができる。なお、堰３８ａは、適宜な手段により高さ調節可能に形成することができ、非灌漑季間には、取外すことができるように形成する。
【００４０】
また、このような傾斜地における灌漑において、傾斜地上方に位置する水田４の最上段の耕作区４２では、上記用水枡３８との間の高低差が小さくなり、水位調節装置６の用水流入部６２から耕作区４２内に十分な量の用水を供給できなくなるおそれがある。したがって、この場合には、前記用水補給バルブ５３を適度に開くことにより、給排水路３７に接続した用水補給パイプ５４から最上段の耕作区４２に用水を補給することができる。
【００４１】
一方、最下段の耕作区４２においても、上記用水枡３８との間の高低差が小さくなり、水位調節装置６の用水排出部６３からの排水が困難になることがある。この場合には、図２に想像線で示すように、用水排出部６３から下方の水田に設置した排水パイプ５２に接続する補助排水パイプ５５を設けておくことにより、最下段の耕作区４２からの排水を確実に行うことができる。
【００４２】
図１１乃至図１３は、本発明の水位調節装置の他の形態例を示すもので、図１１は配管概略図、図１２は平面図、図１３は用水流入部を示す縦断面図である。本形態例に示す水位調節装置６Ａは、前記形態例に示した水位調節装置６における用水流入部６２の給水弁６４と逆流防止堰６５とに代えて、用水流入部６２に浮子式バルブを使用した給水弁６９を設けたものである。
【００４３】
本形態例に示す給水弁６９は、用水流入部６２のパイプ６２Ｐに接続した垂直方向のパイプ６９Ｐの上端に設けられており、球形のフロート弁９１をハンドル９２により操作する弁軸９３で押し下げることによって開弁し、ハンドル９２を回転させて弁軸９３を上昇させると、パイプ６２Ｐ内を上昇する用水によりフロート弁９１が弁座９４に押し付けられて閉弁する構造を有している。したがって、弁軸９３の上昇量を調節することにより、用水の流入量を制御することができる。
【００４４】
この給水弁６９を用いた水位調節装置６Ａは、給水パイプ５１内に発生した空気溜りを解消して通水不足を未然に防止でき、また、パイプ内が瞬間的に負圧となることによる給水パイプ５１の破損を防止できるという利点がある。
【００４５】
なお、本形態例における水位調節装置６Ａの他の構成要素については、前記形態例の水位調節装置６における構成要素と同一の構成要素に同一符号を付して詳細な説明は省略する。また、水位調節や排水における操作も同一であるから、水位調節装置６Ａの作用の説明も省略する。
【００４６】
なお、上述の両形態例では、水位調節装置を構成する給排水枡を円筒形としたものを例示したが、矩形状にしてもよく、給排水枡の形状は特に限定されるものではない。また、逆流防止堰や水位調節堰の構造も上記筒体に限らず、蛇腹状に形成したり、堰板式にしたりすることもできる。さらに、各操作ロッドを、例えばねじ込み構造等により着脱可能に形成しておくことにより、必要時以外に水位調節堰等が操作されることを防止できる。
【００４７】
また、図１においては、水田の長手方向に沿って延びる各耕作区の相対する両側に水位調節装置を設置した例を示したが、本発明はこれに限定されるものではない。すなわち、耕作区の両側に水位調節装置を設置した場合は、耕作区の全体にわたってきめ細かな用水管理が行える利点があるが、耕作区の面積がそれ程広くない場合には、耕作区の片側のみに水位調節装置を設置するだけでも、十分な用水管理を行うことができ、耕作区の面積が広い場合には、水位調節装置の能力によっては複数箇所に設置するようにしてもよい。また、複数の水位調節装置を設ける場合は、用水供給用と排水用とに使い分けてもよい。
【００４８】
さらに、各バルブの開閉や堰の上下位置調節を、操作ロッドに代えてモーター等により遠隔操作可能に形成することもでき、コンピューター等を使用して自動的に制御することも可能である。
【００４９】
【発明の効果】
以上説明したように、本発明の水田の水位調節装置及び用水管理システムによれば、水田の側縁に沿って設けられた農道に給水パイプ及び排水パイプを埋設するので、水田の耕作区や農道等のスペースを大幅に拡大でき、農地を有効に利用することができる。
【００５０】
また、水位調節装置により、耕作区への用水の供給や田面水位の維持、耕作区からの用水の排出等を簡単な操作で確実に行うことができ、各耕作区毎の田面水位の維持等の用水管理を効率よく行うことができる。さらに、一部の耕作区の減反等にも対応することができる。しかも、これらの機能を一つの給排水枡に集約させているので、水位調節装置をコンパクトに形成することができ、施工性に優れるとともに、安価に供給することができる。
【００５１】
さらに、本発明では、各耕作区に供給された用水が余剰水として排出されるのを最小限に抑える用水管理を行えるので、各耕作区に施用された農薬や肥料等が用水と共に外部に流出する量を低減でき、環境破壊の問題を招来することもない。
【００５２】
また、傾斜地の水田においては、上方の水田に設置された水位調節装置から排水パイプに排出された用水を、給排水路を介して下方の水田の給水パイプに供給することにより、用水の利用効率を大幅に向上させることができる。
【図面の簡単な説明】
【図１】  本発明の水位調節装置を使用した用水管理システムの一例を示す概略平面図である。
【図２】  図１のII−II線近傍の概略断面図である。
【図３】  図１の III−III 線近傍の概略断面図である。
【図４】  水位調節装置の一形態例を示す配管概略図である。
【図５】  水位調節装置の具体的な形状例を示す平面図である。
【図６】  同じく用水流入部及び耕作区給排水口部分を示す縦断面図である。
【図７】  用水排出部部分を示す縦断面図である。
【図８】  水位調節装置に用いたスライド弁の斜視図である。
【図９】  用水枡の形状例を示す平面図である。
【図１０】  同じく縦断面図である。
【図１１】  水位調節装置の他の形態例を示す配管概略図である。
【図１２】  水位調節装置の他の形状例を示す平面図である。
【図１３】  同じく縦断面図である。
【図１４】  従来の水田構造を示す概略平面図図である。
【図１５】  従来の給水路の斜視図である。
【符号の説明】
３７…給排水路、３８…用水枡、３８ａ…堰、４…水田、４１…畦畔、４２…耕作区、４３…農道、５１…給水パイプ、５２…排水パイプ、５１ａ，５１ｂ，５２ａ，５２ｂ…弁、５３…用水補給バルブ、５４…用水補給パイプ、５５…補助排水パイプ、６，６Ａ…水位調節装置、６０…給排水枡、６１…耕作区給排水口、６２…用水流入部、６３…用水排出部、６４…給水弁、６４Ｈ…操作ロッド、６４Ｔ…筒体、６５…逆流防止堰、６５Ｔ…筒体、６６…排水弁、６６Ｈ…操作ロッド、６７…水位調節堰、６７Ｔ…筒体、６８…越流ゲート、６９…給水弁、７０…スライド弁、８０…出口枡、８１，８２…堰板、９１…フロート弁、９３…弁軸、９４…弁座
【図１】
0003839893.tif 000002
【図２】
0003839893.tif 000003
【図３】
0003839893.tif 000004
【図４】
0003839893.tif 000005
【図５】
0003839893.tif 000006
【図６】
0003839893.tif 000007
【図７】
0003839893.tif 000008
【図８】
0003839893.tif 000009
【図９】
0003839893.tif 000010
【図１０】
0003839893.tif 000011
【図１１】
0003839893.tif 000012
【図１２】
0003839893.tif 000013
【図１３】
0003839893.tif 000014
【図１４】
0003839893.tif 000015
【図１５】
0003839893.tif 000016